(57)【要約】【課題】従来の飾り遊具は単に装飾や形態の違いであるので、発光体とホログラムシートを組み合わせることで、多様な楽しみ方ができる飾り遊具を提供する。【解決手段】飾り遊具１の本体３内に電池１１を位置するとともに、外部に発光体１０とスイッチ１２を配設した前記本体３に、回折光によって記録した図柄をホログラム像Ｂとして再生して見ることができるホログラムシート９を、前記本体３に着脱自在に組み合わせて成る飾り遊具１とする。【選択図】図１
0003114783.tif 000002
【実用新案登録請求の範囲】
【請求項１】
ストラップやキーホルダーに用いられる飾り遊具であって、飾り遊具の本体内に電池を位置し、その外部に発光体とスイッチを配設して成る前記本体に、記録した図柄が回折光によってホログラム像として再生して見ることができるホログラムシートを、着脱自在に組み合わせて成る構成を特徴とするホログラム像を楽しめる飾り遊具。
【請求項２】
上記する発光体が、点滅発光体で構成される請求項１に記載するホログラム像を楽しめる飾り遊具。
【考案の詳細な説明】
【技術分野】
【０００１】  本考案は、携帯電話用ストラップやキーホルダーに用いられる飾りや各種応援グッズ等の遊具に、ホログラム像を楽しめる発光体とホログラムシートを組み合わせた飾り遊具に関する。
【背景技術】
【０００２】  従来より、飾り遊具には様々な形態の物が提供され、ユーザーの目的や用途により選ばれて個々に多様な使い方を楽しんでいる。これらの飾り遊具を取り付ける対象としては、携帯電話用のストラップやキーホルダー等の他に、音楽ライブやイベントなどにおける発光応援グッズなど様々な飾り遊具などが提供されている。【０００３】  また回折光により、ハート形や図柄等が再生される透明型又は半透明型ホログラムシートを通して夜景の光源を見たり写真を撮ったりすることで、前記したハート形や図柄等のホログラム像を見たり、写真に写し込んで楽しむことができるホログラム構成物及び遊具などの技術がある（例えば、特許文献１参照）【０００４】
【特許文献１】特開平１１−２３１７６４公報（第３−５頁、図１）
【考案の開示】
【考案が解決しようとする課題】
【０００５】  上記するような様々な飾り遊具があり、それぞれユーザーの好みや趣味で使い分けて楽しんでいる。しかし、ストラップやキーホルダー用の飾りなどは多種多様な物があるが、これらは単に飾りの域を出ず、さらに新しい物が期待されているが、その期待に応えられる飾り遊具は提供されていないのが現状である。【０００６】  さらに、特開平１１−２３１７６４公報に開示される技術は、回折光により、記録したハート形や図柄等が再生される透明型又は半透明型ホログラムシートを通して光源を見ると、その光源の周りに、前記したハート形や図柄などのホログラム像を重ねて見られる楽しい遊具である。しかしこの技術は、ホログラムシートを光源に向けることで楽しめるが、その光源は夜景の灯りや花火など、外的な光源に向けた時にしかホログラム像を見て楽しむことしかできないので、いつでもどこでも簡単にホログラム像を見て楽しめるものではなく、見るにも使うにも限定されていた。
【課題を解決するための手段】
【０００７】  本考案は、上記するような不便や欠点を解消するために、請求項１においては、ストラップやキーホルダーに用いられる飾り遊具の本体内に電池を位置するとともに、その外部に発光体とスイッチを配設した本体に、回折光によって、記録した図柄をホログラム像として再生して見ることができるホログラムシートを、前記本体に着脱自在に組み合わせられることで、飾りや遊具としてはもとより、ホログラム像も楽しめる飾り遊具とする。【０００８】  請求項２においては、上記する発光体が点滅発光にすることにより、さらに美しく幻想的に見えるようにする。
【考案の効果】
【０００９】  本考案における飾り遊具は、本体に発光体を設けるとともに、その本体からホログラムシートを着脱できる構成であるので、通常は携帯電話のストラップやキーホルダーの飾り遊具として使うが、必要な時は、発光体を点灯してホログラムシートを人の目に近付けて飾り遊具を見ると、発光体の周囲にホログラムシートに記録した図柄が、ホログラム像として浮かび上がるように美しく再生されて見えるため、意外性と面白さをさらに楽しむことができる飾り遊具を提供することができる。【００１０】  さらに実施例１タイプは、リールの紐にホログラムシートが連結されているので紛失する心配はない。また実施例２タイプは、ホログラムシートが動物キャラクターの耳部に取り付けられるので装飾的でもあり、かつ左右の二枚とも異なる図柄を記録したホログラムシートを備えられるため、一つの飾り遊具でも異なる二つのホログラム像を楽しめるうえ、ボトルキャップとしても使える機能性もある。【００１１】  加えて、実施例３タイプは、イルミネーション発光具の両端に発光体とホログラムシートがネジ嵌合されるので、応援の際に強く振り回しても分離する心配はなく、さらに発光体は複数個設けられているため、数多くのホログラム像を楽しむことができるとともに、応援の際にスイッチを入れると、イルミネーション発光とともに発光体も点灯するのでさらに楽しい応援ができる。尚、いずれのタイプも発光体を点滅方式にするとホログラム像も点滅するので、一層幻想的で美しいホログラム像を楽しむことができる従来には見られない飾り遊具を提供する。
【考案を実施するための最良の形態】
【００１２】  様々な形態の飾り遊具をさらに楽しい物にするため、飾り遊具の内部に電池を有し、かつ外部に発光体とスイッチを備えて成る飾り遊具の本体に、透明型又は半透明型ホログラムシート（以下、ホログラムシートと称す）を着脱できるものとする。
【実施例１】
【００１３】  実施例１の飾り遊具を図１に示す一部省略した斜視図と図２に示す縦断面図及び図３の使用状態の参考図、図４のホログラムシートを通して見た状態の参考図で説明する。本実施例の飾り遊具１は、パンダなどの動物キャラクター２形の本体３の上部にストラップ４を付けられるものとし、その本体３の底面に隙間状の収納穴５を設け、さらに、その奥には紐６を巻き込んだリール７を位置して成る前記の紐６に、透明又は半透明型のホログラムシートシート９にハート形や雪の結晶形等の図柄を記録した、つまみ８付きホログラムシート９を連結したシートが前記収納穴５に収納されている。さらに本体３の目の部分にはＬＥＤ等の発光体１０，１０を取り付け、その電源となる電池１１は背部に位置して出し入れできるとともに、スイッチ１２を本体３一部に設けて実施例１の飾り遊具１を構成する。【００１４】  実施例１の飾り遊具１は、動物キャラクター２の目の部分に発光体１０を、他部に電池１１とスイッチ１２を設けた本体３に収納穴５を設け、その奥には、ホログラムシート９を連結したリール７を位置しているので、通常、ホログラムシート９は収納穴５内に収まっているが、必要な時はつまみ８を持ってホログラムシート９を引き出してから、図３に示すように人の目Ａに近付けて飾り遊具１を見ると、図４に示すように本体３の発光体１０周囲に、ホログラムシート９に記録された図柄がホログラム像Ｂとして浮かび上がるように美しく見える。また発光体９が点滅の場合は、ホログラム像Ｂも点滅して一層幻想的に見ることができ、手を離すと紐６はリール７に巻き取られて、ホログラムシート９も自動的に収納穴５に収められる飾り遊具１を構成する。
【実施例２】
【００１５】  実施例２の飾り遊具を、図５に示す一部欠損した正面図と図６の背面図で説明する。実施例２の飾り遊具１の本体３は、動物キャラクター２の飾りと一体とするストロー１３付きボトルキャップ１４とし、その目の部分に発光体１０を設け、背部に電池１１とスイッチ１２を有するものとするが、前記した頭部の両耳部に連結穴１５，１５を設け、その連結穴１５に、連結棒１６を取り付けたホログラムシート９を着脱できる飾り遊具１を構成する。尚、前記のホログラムシート９は左右の耳部分に二枚組み合わせられるので、異なる図柄を記録したホログラムシート９，９を組み合わせるものとする。【００１６】  実施例２の飾り遊具１は、本体３を動物キャラクター２飾りと一体のストロー１３付きボトルキャップ１４とし、その本体３には、実施例１同様に目の部分に発光体１０を、背部に電池１１とスイッチ１２を位置するが、ホログラムシート９は耳部分に設けた連結穴１５，１５に連結棒１６を差し込めるタイプであるので、通常は動物の耳の形態を成すが、ホログラム像Ｂを見たい時は、連結穴１５からホログラムシート９を引き抜いて発光体１０に向けるだけで簡単に楽しむことができる。加えて、ホログラムシート９は左右二枚備えられるので、それぞれ異なる図柄を記録したホログラム像Ｂを楽しむことができるうえ、機能的なストロー１３付きボトルキャップ１４としても使える飾り遊具９となる。
【実施例３】
【００１７】  実施例３における飾り遊具を図７に示す分解斜視図で説明する。実施例３における飾り遊具１は、音楽ライブやイベントなどの応援に使用するイルミネーション発光具１７を本体３とし、その本体３の両端に設けたネジ棒１８，１８の一方には、ネジ筒１９の端部に設けた球体２０に複数個の発光体１０，１０を設けるとともに、前記ネジ筒１９にスイッチ１２を設けた内部に電池１１を収めたネジ筒１９を、前記のネジ棒１８にネジ嵌合し、他方のネジ棒１８には、ネジキャップ２１を取り付けたホログラムシート９をネジ嵌合して実施例３の飾り遊具１を構成する。【００１８】  実施例３の飾り遊具１の本体３は、応援などに用いられるイルミネーション発光具１７を本体３とし、その一方には、複数個の発光体１０と電池１１及びスイッチ１２を備えたものが組み合わされ、他方側には、ネジキャップ２１付きホログラムシート９が組み合わされるので、ネジキャップ２１を取り外せば容易にホログラム像Ｂを見られるとともに、発光体１０は複数個を設けているので、一度に数多くのホログラム像Ｂを楽しめる。加えて、応援の時はイルミネーション発光とともにスイッチ１２を入れると、数多くの発光体１０も同時に点灯させることができる飾り遊具１である。【００１９】  本考案は以上のような飾り遊具１を構成するが、本体は動物形や応援発光具を図示するが、これ以外のいずれの飾りや遊具を採用してもよい。また動物キャラクター２の場合は、目の部分に発光体１０を位置しているが、鼻や耳や口などでもよい。さらに本体とホログラムシート９の着脱手段は、ここに図示する以外の方法でもよく、いずれも特に限定されるものではない。
【産業上の利用可能性】
【００２０】  本考案における飾り遊具は携帯型の飾り遊具を対象とするが、置物タイプの飾り物などに発光体とホログラムシートを組み合わせる用途にも適用できる。
【図面の簡単な説明】
【００２１】
【図１】本考案の実施例１の飾り遊具を示す一部省略した正面図である。
【図２】実施例１の飾り遊具を示す縦断面図である。
【図３】実施例１の飾り遊具の使用状態を示す参考図である。
【図４】実施例１の飾り遊具をホログラムシートを通して見た状態の参考図である。
【図５】実施例２の飾り遊具を示す一部欠損した正面図である。
【図６】実施例２の飾り遊具を示す背面図である。
【図７】実施例３の飾り遊具を示す分解斜視図である。
【符号の説明】
【００２２】１  飾り遊具
２  動物キャラクター
３  本体
４  ストラップ
５  収納穴
６  紐
７  リール
８  つまみ
９  ホログラムシート
１０  発光体
１１  電池
１２  スイッチ
１３  ストロー
１４  ボトルキャップ
１５  連結穴
１６  連結棒
１７  イルミネーション発光具
１８  ネジ棒
１９  ネジ筒
２０  球体
２１  ネジキャップ
Ａ  人の目
Ｂ  ホログラム像
【図１】
0003114783.tif 000003
【図２】
0003114783.tif 000004
【図３】
0003114783.tif 000005
【図４】
0003114783.tif 000006
【図５】
0003114783.tif 000007
【図６】
0003114783.tif 000008
【図７】
0003114783.tif 000009